(57)【要約】【課題】処理の実行に必要な複数の条件を表示しつつ、各条件を入力操作により設定する上で、未設定の条件がどの程度残っているかを把握することを可能にする。【解決手段】複写モード及びファクシミリモードに際し、液晶表示パネル４１の画面に各条件を設定するためそれぞれのボタンを表示し、既に押されたボタンを白抜きで表示し、かつ未だに押されていないボタンの数を表示しているので、画面を見れば、未だに設定されていない条件の数と種類を知ることができ、操作入力を何時まで続ければ良いのかが分かる。【選択図】図３
2004312174.tif 000002
【特許請求の範囲】
【請求項１】
処理に係わる複数の条件を表示しつつ、各条件を入力操作により設定してから、各条件に従って処理を実行する電子機器の表示装置において、
各条件が未設定であるか否かを判定する判定手段と、
未設定の条件がどの程度残っているかを示す報知情報を表示する表示制御手段と
を備えることを特徴とする電子機器の表示装置。
【請求項２】
未設定の条件がどの程度残っているかを示す報知情報は、未設定の条件の数であることを特徴とする請求項１に記載の電子機器の表示装置。
【請求項３】
表示制御手段により表示される未設定の条件の数が０となったときに、処理の実行を開始することを特徴とする請求項２に記載の電子機器の表示装置。
【請求項４】
表示制御手段により表示される未設定の条件の数が０となったときに、処理の実行開始のための操作を促す旨を報知することを特徴とする請求項２に記載の電子機器の表示装置。
【請求項５】
未設定の条件がどの程度残っているかを示す報知情報は、各条件の項目を表示した上で、該各条件の項目別に、条件の項目の表示方法を未設定及び設定済みのいずれであるかに応じて切り換えることにより表示されることを特徴とする請求項１に記載の電子機器の表示装置。
【請求項６】
表示制御手段により各条件の項目の全てが設定済みの表示方法で表示されたときに、処理の実行を開始することを特徴とする請求項５に記載の電子機器の表示装置。
【請求項７】
表示制御手段により各条件の項目の全てが設定済みの表示方法で表示されたときに、処理の実行開始のための操作を促す旨を報知することを特徴とする請求項５に記載の電子機器の表示装置。
【請求項８】
入力操作により条件を既定内容及び任意内容のいずれかに設定することを特徴とする請求項１に記載の電子機器の表示装置。
【請求項９】
条件を操作入力するためのタッチパネルを表示画面に重ねたことを特徴とする請求項１に記載の電子機器の表示装置。
【発明の詳細な説明】
【０００１】
【発明の属する技術分野】
本発明は、処理の実行に必要な複数の条件を表示しつつ、各条件を入力操作により設定する電子機器の表示装置に関する。
【０００２】
【従来の技術】
周知の様に電子機器には、表示装置の入力画面上で、処理の実行に必要な条件を入力設定するものが多い。利用者は、表示装置の入力画面を参照しつつ、入力操作を速やかに行なうことができる。
【０００３】
また、透明なタッチパネルを表示装置の画面に重ねて、指先等の接触により指示された画面上のボタンやキーをタッチパネルで検出し、これにより操作性を向上させたものもある。
【０００４】
更に、近年は、電子機器の多機能化に伴い、その操作も複雑化しているため、複数の入力画面を階層化し、各階層別に、入力画面を表示装置に表示して、入力操作の簡単化を図ることもある。
【０００５】
例えば、複写機、ファクシミリ装置、プリンタ、これらの複合機等である画像形成装置等には、液晶表示パネル等の表示装置と、表示装置の画面に重ねられた透明なタッチパネルとを備え、指先等の接触により指示された画面上のボタンやキーをタッチパネルで検出し、これにより入力操作の簡単化を図ったものがある。また、印字用紙のサイズ、印字倍率、印字枚数、及び印字濃度等の各印字条件を任意に設定することが可能であり、これらの印字条件を選択するための入力画面や各印字条件を設定するためのそれぞれの入力画面を階層化し、各階層別に、入力画面を表示装置に表示して、入力画面上で印字条件を入力設定するというものがある（例えば特許文献１）。
【０００６】
【特許文献１】
特開平１１−１３４１６０号公報
【０００７】
【発明が解決しようとする課題】
しかしながら、従来は、階層化された多数の入力画面が表示装置に順次表示され、その度に入力設定が行なわれるにしても、その途中で未設定の条件（未着手の入力画面）がどの程度残っているかを利用者に知らせるまでには至らなかった。このため、利用者は、入力操作を何時まで続ければ良いのか分からず、電子機器が扱い難いものであるという印象を持つことがあった。
【０００８】
そこで、本発明は、上記従来の問題点に鑑みてなされたものであり、未設定の条件がどの程度残っているかを把握することが可能な電子機器の表示装置を提供することを目的とする。
【０００９】
【課題を解決するための手段】
上記課題を解決するために、本発明は、処理に係わる複数の条件を表示しつつ、各条件を入力操作により設定してから、各条件に従って該処理を実行する電子機器の表示装置において、各条件が未設定であるか否かを判定する判定手段と、未設定の条件がどの程度残っているかを示す報知情報を表示する表示制御手段とを備えている。
【００１０】
この様な構成の本発明によれば、処理に係わる各条件を表示しつつ、各条件を入力操作により設定する際に、未設定の条件がどの程度残っているかを示す報知情報を表示している。例えば、各条件に対応するそれぞれの入力画面を階層化して順次表示しつつ、各条件を入力操作により設定する際に、未設定の条件（未着手の入力画面）がどの程度残っているかを示す報知情報を表示する。これにより、入力操作を何時まで続ければ良いのかが分かる。
【００１１】
また、本発明においては、未設定の条件がどの程度残っているかを示す報知情報は、未設定の条件の数である。
【００１２】
この様に未設定の条件の数を表示しても良い。この数の表示の代わりに、未設定の条件の数をグラフ表示したり、設定済みの条件の数と未設定の条件の数との比をグラフ表示したりしても構わない。
【００１３】
更に、本発明においては、表示制御手段により表示される未設定の条件の数が０となったときに、処理の実行を開始している。
【００１４】
この様に未設定の条件の数が０となったときに、つまり処理に係わる各条件の全てが設定されたときに、処理の実行を開始すれば、条件の設定から処理の実行へと直ちに移ることができる。
【００１５】
また、本発明においては、表示制御手段により表示される未設定の条件の数が０となったときに、処理の実行開始のための操作を促す旨を報知している。
【００１６】
この様に未設定の条件の数が０となり、処理に係わる各条件の全てが設定されたときに、処理の実行開始を指示するための操作を促す旨を報知すれば、処理の実行を適確なタイミングで指示することができる。
【００１７】
更に、本発明においては、未設定の条件がどの程度残っているかを示す報知情報は、各条件の項目を表示した上で、該各条件の項目別に、条件の項目の表示方法を未設定及び設定済みのいずれであるかに応じて切り換えることにより表示されている。
【００１８】
例えば、各条件の項目を表示し、各条件の項目別に、条件の項目の表示色を未設定及び設定済みのいずれであるか否かに応じて切り換える。あるいは、条件の項目の表示濃度を切り換えても良い。
【００１９】
また、本発明においては、表示制御手段により各条件の項目の全てが設定済みの表示方法で表示されたときに、処理の実行を開始している。あるいは、表示制御手段により各条件の項目の全てが設定済みの表示方法で表示されたときに、処理の実行開始のための操作を促す旨を報知している。
【００２０】
この様に各条件の項目の全てが設定済みの表示方法で表示されたときに、処理の実行を開始すれば、条件の設定から処理の実行へと速やかに移ることができる。
【００２１】
更に、本発明においては、入力操作により条件を既定内容及び任意内容のいずれかに設定している。
【００２２】
この様に条件を既定内容及び任意内容のいずれかに選択的に設定することができれば、操作が簡単化される。
【００２３】
また、本発明においては、条件を操作入力するためのタッチパネルを表示画面に重ねている。
【００２４】
この様にタッチパネルを設ければ、入力画面上で条件の入力操作を容易に行なうことができる。
【００２５】
【発明の実施の形態】
以下、本発明の実施形態を添付図面を参照して詳細に説明する。
【００２６】
図１は、本発明の表示装置の一実施形態を適用した画像形成装置を示す側面図である。この画像形成装置１では、原稿の画像を読み取って印字用紙に印字する複写モード、原稿の画像を読み取って送信したり、原稿の画像を受信して印字用紙に印字したりするファクシミリモード、及び情報端末装置からネットワークを通じて受信した画像を印字用紙に印字するプリンタモード等を選択的に行なうことができる。この画像形成装置１は、その構成を大別すると、原稿搬送部２、読み取り部３、印字部４、印字用紙搬送部５、給紙部６、及び排紙部７からなる。
【００２７】
次に、複写モードを例に挙げて、画像形成装置１の動作を説明する。
【００２８】
まず、原稿を原稿搬送部２の原稿セットトレイ１１にセットしてから、読み取り部３の操作パネル１４を操作することにより、印字用紙のサイズ、印字倍率、印字枚数、及び印字濃度等を設定する。そして、操作パネル１４の操作により複写の開始を指示する。
【００２９】
これに応答して原稿搬送部２では、原稿を１枚ずつ原稿セットトレイ１１から引き出して、原稿を読み取り部３のプラテンガラス１２上で副走査方向に搬送し、原稿を原稿排出トレイ１３へと搬送する。
【００３０】
読み取り部３では、原稿の副走査方向の搬送に際し、第１走査ユニット１５によって原稿を露光し、第１及び第２走査ユニット１５，１６によって原稿からの反射光を結像レンズ１７へと導き、結像レンズ１７によって原稿の画像を光電変換素子（以下ＣＣＤと称する）１８上に結像する。ＣＣＤ１８は、原稿の画像を主走査方向に繰り返し走査して読み取り、原稿の画像を示す画像データを出力する。
【００３１】
あるいは、原稿をプラテンガラス１２上にセットしてから、操作パネル１４の操作により印字用紙のサイズ、印字倍率、印字枚数、及び印字濃度等を設定し、更に操作パネル１４の操作により複写の開始を指示する。
【００３２】
読み取り部３では、第１及び第２走査ユニット１５，１６を相互に所定の速度関係を維持しつつ副走査方向に移動させ、第１走査ユニット１５によってプラテンガラス１２上の原稿を露光し、第１及び第２走査ユニット１５，１６によって原稿からの反射光を結像レンズ１７へと導き、結像レンズ１７によって原稿の画像をＣＣＤ１８上に結像する。ＣＣＤ１８は、原稿の画像を読み取って、原稿の画像を示す画像データを出力する。
【００３３】
ＣＣＤ１８から出力された画像データは、マイクロコンピュータ等の演算回路（図示せず）により各種の画像処理を施されてから、印字部４に出力される。
【００３４】
印字部４は、画像データによって示される原稿の画像を印字用紙に印字するものであって、感光体ドラム２１、帯電器２２、レーザスキャンユニット（以下ＬＳＵと称する）２３、現像器２４、転写器２５、クリーニング器２６、除電器（図示せず）、及び定着器２７等を備えている。感光体ドラム２１は、一方向に回転しており、その表面をクリーニング器２６と除電器によりクリーニングされてから、その表面を帯電器２２により均一に帯電される。レーザスキャンユニット２３は、画像データに応じてレーザ光を変調し、このレーザ光によって感光体ドラム２１表面を主走査方向に繰り返し走査して、静電潜像を感光体ドラム２１表面に形成する。現像器２４は、トナーを感光体ドラム２１表面に供給して、静電潜像を現像し、トナー像を感光体ドラム２１表面に形成する。転写器２５は、感光体ドラム２１表面のトナー像を印字用紙搬送部５により搬送されてきた印字用紙に転写する。定着器２７は、印字用紙を加熱及び加圧して、印字用紙上のトナー像を定着させる。この後、印字用紙は、印字用紙搬送部５により排紙部７へと更に搬送される。
【００３５】
印字用紙搬送部５は、印字用紙を搬送するためのＰＳローラ対２８、複数の搬送ローラ対２９、搬送経路３１、及び反転搬送経路３２等を備えている。搬送経路３１は、印字用紙を給紙部６から受け取って印字部４へと搬送し、更に印字用紙を排紙部７へと搬送する。反転搬送経路３２は、印字用紙を印字部４から受け取って、印字用紙の表裏を反転させてから、印字用紙を搬送経路３１へと再度搬送する。これらの搬送経路３１，３２には、印字用紙の通過を検出するための複数の検知スイッチが配置されており、各検知スイッチの検知に基づいて印字用紙の搬送タイミング等の制御が行なわれる。
【００３６】
給紙部６は、未使用の印字用紙を収容して、この未使用の印字用紙を印字用紙搬送部５に供給するものであって、給紙カセット３３及び手差しトレイ３４を備えている。給紙カセット３３には、印字用紙が積層収容されており、ピックアップローラ３５により印字用紙が１枚ずつ引き出されて搬送される。手差しトレイ３４にも、印字用紙が載せられ、ピックアップローラ３６により印字用紙が引き出されて搬送される。印字用紙が給紙カセット３３又は手差しトレイ３４から引き出され、その先端がＰＳローラ対２８に達すると、印字用紙の搬送が一時的に停止され、印字用紙の先端がＰＳローラ対２８と平行にされてから、印字用紙がＰＳローラ対２８により印字部４の転写器２５へと搬送される。
【００３７】
排紙部７は、複数の排紙トレイ３８を備えており、印字用紙をいずれかの排紙トレイ３８に排出したり、複数の印字用紙を各排紙トレイ３８に振り分けて排出したりする。また、排紙部７は、パンチ孔を印字用紙に開けたり、ステープル処理を行なったりもする。
【００３８】
図２は、読み取り部３の操作パネル１４を示す平面図である。この操作パネル１４は、液晶表示パネル４１、液晶表示パネル４１の画面に重ねられた透明なタッチパネル４２、テンキー４３、及び操作キー群４４等を備えている。液晶表示パネル４１は、印字用紙のサイズ、印字倍率、印字枚数、及び印字濃度等の各印字条件を選択するための入力画面や各印字条件を設定するためのそれぞれの入力画面等を表示するものである。これらの入力画面は、階層化されて、各階層別に表示される。タッチパネル４２は、感圧方式や静電容量方式等のものであり、指先やペン先等の接触により指示された液晶表示パネル４１の画面上の入力位置を検出する。
【００３９】
尚、液晶表示パネル４１の代わりに、ＣＲＴやプラズマディスプレイ等の表示装置を適用したり、タッチパネル４２として、ペンを用いて位置を入力する電磁誘導方式のもの等を適用したりしても構わない。
【００４０】
図３は、画像形成装置１の構成を示すブロック図である。この画像形成装置１は、先に述べた原稿搬送部２、読み取り部３、印字部４、印字用紙搬送部５、給紙部６、及び排紙部７の他に、画像処理部５１、主記憶部５２、主制御部５３、表示部５４、ファクシミリ通信部５５、及びデータ通信部５６等を備えている。
【００４１】
画像処理部５１は、ＣＣＤ１８から出力された画像データを処理するものである。この画像処理部５１による画像データの処理としては、シェーディング補正、濃度補正、領域分離、フィルタ処理、ＭＴＦ補正、解像度変換、電子ズーム（変倍処理）、ガンマ補正等がある。
【００４２】
主記憶部５２は、未処理の画像データや処理済みの画像データを記憶したり、あるいは画像処理のための各種のプログラムやデータテーブル等、画像形成装置１の動作用の各種のプログラムやデータテーブル等を記憶している。
【００４３】
主制御部５３は、画像形成装置１を統括的に制御するものであり、例えば読み取り部３、印字部４、印字用紙搬送部５、給紙部６、及び排紙部７等を制御する。
【００４４】
表示部５４は、図２の操作パネル１４の液晶表示パネル４１を表示制御したり、タッチパネル４２、テンキー４３、及び操作キー群４４からの入力を検出したりする。
【００４５】
ファクシミリ通信部５５は、外部端末をネットワークを通じて呼び出して、画像データを外部端末に送信したり、外部端末からの着信をネットワークを通じて受けて、画像データを外部端末から受信する。
【００４６】
データ通信部５６は、画像データを外部端末からＬＡＮ等を通じて受信する。
【００４７】
図４は、表示部５４の構成を示すブロック図である。この表示部５４は、液晶表示パネル４１の他に、入力部５７、判断部５８、表示記憶部５９、及びパネル制御部６０を備えている。
【００４８】
入力部５７は、操作パネル１４のタッチパネル４２、テンキー４３、及び操作キー群４４等からなる。
【００４９】
判断部５８は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）であり、入力部５７からの入力やパネル制御部６０からの指示に応答して、表示データを表示記憶部５９から読み出し、表示データによって示される画像を液晶表示パネル４１の画面に表示する。また、判断部５９は、指先やペン先等の接触により指示された液晶表示パネル４１の画面上の入力位置が入力部５７のタッチパネル４２で検出されると、この入力位置に重なる該画面上の操作ボタン等を識別する。
【００５０】
表示記憶部５９は、液晶表示パネル４１に表示される各種の画像を示すそれぞれの画像データ等を記憶している。これらの画像としては、印字用紙のサイズ、印字倍率、印字枚数、及び印字濃度等の各印字条件を選択するための入力画面や各印字条件を設定するためのそれぞれの入力画面等がある。
【００５１】
パネル制御部６０は、表示部５４を統括的に制御するものであり、また図３の主制御部５３との間でデータを授受する。
【００５２】
この様な構成の画像形成装置１においては、先に述べた様に原稿の画像の複写を行なう前に、操作パネル１４を操作することにより、印字用紙のサイズ、印字倍率、印字枚数、及び印字濃度等の各印字条件を設定する。また、各印字条件を選択するための入力画面や各印字条件を設定するためのそれぞれの入力画面を液晶表示パネル４１に一括表示することができないので、これらの入力画面を階層化して順次表示しつつ、それぞれの印字条件の入力操作を逐次行なうことができる様にしている。
【００５３】
同様に、ファクシミリ通信を行なう場合も、ファクシミリの各送信条件又は各受信条件に対応するそれぞれの入力画面を階層化して順次表示しつつ、それぞれの印字条件の入力操作を逐次行なうことができる様にしている。
【００５４】
更に、階層化された各入力画面が順次表示されているときに、入力操作を何時まで続ければ良いのか分からなけば、利用者が不安を感じてしまうことから、未設定の印字条件がどの程度残っているかを液晶表示パネル４１の画面に表示して、入力操作を何時まで続ければ良いのかを利用者に知らせている。
【００５５】
次に、画像形成装置１による処理の概略を図５のフローチャートを参照しつつ説明する。
【００５６】
まず、画像形成装置１の電源が投入されると（ステップＳ１００１）、画像形成装置１の原稿搬送部２、読み取り部３、印字部４、印字用紙搬送部５、給紙部６、及び排紙部７等の初期化及びウォームアップが開始される（ステップＳ１００２）。そして、初期化及びウォームアップが完了したときには、操作パネル１４のレディーランプ４５が点灯して（ステップＳ１００３で「Ｙｅｓ」）、この完了が主制御部５３で認識される（ステップＳ１００４）。
【００５７】
主制御部５３は、画像形成装置１の初期化及びウォームアップが完了すると、表示部５４のパネル制御部６０に表示の開始を指示する。これに応答してパネル制御部６０は、図８（ａ）に示す様なモード選択画面６１を示す画像データを表示記憶部５９から読み出して、モード選択画面６１を判断部５８を通じて液晶表示パネル４１に表示する（ステップＳ１００５）。
【００５８】
モード選択画面６１には、画像形成装置像６２が表示されている。また、複写モードボタン６３、ファクシミリモードボタン６４、プリンタモードボタン６５、及び決定キー６６が表示されている。
【００５９】
ここで、利用者は、複写モードを選択したければ、図８（ｂ）に示す様に複写モードボタン６３及び決定キー６６を順次押す。同様に、ファクシミリモードを選択したければ、図８（ｃ）に示す様にファクシミリモードボタン６４及び決定キー６６を順次押し、またプリンタモードを選択したければ、プリンタモードボタン６５及び決定キー６６を順次押す（ステップＳ１００６）。
【００６０】
尚、液晶表示パネル４１の画面上では、押されたボタン及びキーを白抜きで示す。
【００６１】
例えば、複写モードボタン６３及び決定キー６６が順次押されると、判断部５８は、タッチパネル４２を通じて、複写モードボタン６３及び決定キー６６が順次押されたことを検出し（ステップＳ１００７で「Ｙｅｓ」）、この旨をパネル制御部６０に通知すると共に、図９（ａ）に示す様な複写モードの入力画面６７を示す画像データを表示記憶部５９から読み出して、複写モードの入力画面６７を判断部５８を通じて液晶表示パネル４１に表示する（ステップＳ１００８）。そして、表示部５４では、複写モードの入力画面６７及び該入力画面６７よりも下位の各階層の入力画面を選択的に表示しつつ、各入力画面別に、印字用紙のサイズ、印字倍率、印字枚数、及び印字濃度等の各印字条件を設定し、これらの印字条件を主制御部５３に通知する。主制御部５３は、各印字条件に基づいて、原稿搬送部２、読み取り部３、印字部４、印字用紙搬送部５、給紙部６、排紙部７、及び画像処理部５１等の動作内容を設定し、該各部２〜７，５１を制御して、原稿の画像の読み取り及び印字を行なう（ステップＳ１００９）。そして、ステップＳ１００５に戻って、待機状態となる。
【００６２】
また、ファクシミリモードボタン６４及び決定キー６６が順次押されると、判断部５８は、タッチパネル４２を通じて、ファクシミリモードボタン６４及び決定キー６６が順次押されたことを検出し（ステップＳ１００７で「Ｎｏ」、ステップＳ１０１０で「Ｙｅｓ」）、この旨をパネル制御部６０に通知すると共に、図１０に示す様なファクシミリモードの入力画面６８を示す画像データを表示記憶部５９から読み出して、ファクシミリモードの入力画面６８を判断部５８を通じて液晶表示パネル４１に表示する（ステップＳ１０１１）。そして、表示部５４では、ファクシミリモードの入力画面６８及び該入力画面６８よりも下位の各階層の入力画面を選択的に表示しつつ、各入力画面別に、ファクシミリの各送信条件又は各受信条件を設定し、これらの条件を主制御部５３に通知する。主制御部５３は、ファクシミリの各送信条件又は各受信条件に基づいて、原稿搬送部２、読み取り部３、印字部４、印字用紙搬送部５、給紙部６、排紙部７、画像処理部５１、及びファクシミリ通信部５５の動作内容を設定し、該各部２〜７，５１，５５を制御して、原稿の画像の読み取り及び該画像を示す画像データの送信、又は画像データの受信及び該画像データによって示される画像の印字を行なう（ステップＳ１０１２）。そして、ステップＳ１００５に戻って、待機状態となる。
【００６３】
更に、プリンタモードボタン６５及び決定キー６６が順次押されると、判断部５８は、タッチパネル４２を通じて、プリンタモードボタン６５及び決定キー６６が順次押されたことを検出し（ステップＳ１００７で「Ｎｏ」、ステップＳ１０１０で「Ｎｏ」）、この旨をパネル制御部６０に通知すると共に、プリンタモードの画面を示す画像データを表示記憶部５９から読み出して、プリンタモードモードの画面を判断部５８を通じて液晶表示パネル４１に表示する（ステップＳ１０１３）。このプリンタモードモードでは、複写モードやファクシミリモードの様に各条件を設定せず、「データ受信中」、「印字中」等の簡単なメッセージを表示するだけである。そして、外部端末からの画像データをデータ通信部５６で受信すると、この画像データによって示される画像の印字を行なう（ステップＳ１０１４）。この後、ステップＳ１００５に戻って、待機状態となる。
【００６４】
次に、図５のステップＳ１００９の処理を更に詳しく説明する。
【００６５】
先に述べた様に複写モードボタン６３及び決定キー６６が順次押され、図９（ａ）に示す様な複写モードの入力画面６７が液晶表示パネル４１に表示されているものとする。複写モードの入力画面６７には、モード選択画面６１と同様に、画像形成装置像６２、複写モードボタン６３、ファクシミリモードボタン６４、プリンタモードボタン６５、及び決定キー６６が表示され、更に原稿載置位置ボタン７１、原稿枚数ボタン７２、原稿サイズボタン７３、印字用紙ボタン７４、倍率ボタン７５、印字濃度ボタン７６、印字部数ボタン７７、後処理ボタン選択７８、排紙位置ボタン７９、選択決定キー８１、デフォルト決定キー８２、及び未設定数欄８３が表示されている。
【００６６】
原稿載置位置ボタン７１は、原稿を載置する位置として、読み取り部３の原稿セットトレイ１１及び読み取り部３のプラテンガラス１２のいずれかを設定するための入力画面に対応しており、選択決定キー８１及び原稿載置位置ボタン７１が順次押されると、該入力画面が液晶表示パネル４１に表示される。また、プラテンガラス１２の位置が既定位置となっており、デフォルト決定キー８２及び原稿載置位置ボタン７１が順次押された場合は、該入力画面が表示されないまま、原稿を載置する位置としてプラテンガラス１２の位置が設定される。
【００６７】
原稿枚数ボタン７２は、原稿の枚数を設定するための入力画面に対応しており、選択決定キー８１及び原稿枚数ボタン７２が順次押されると、該入力画面が液晶表示パネル４１に表示される。また、１枚が既定枚数となっており、デフォルト決定キー８２及び原稿枚数ボタン７２が順次押された場合は、該入力画面が表示されないまま、原稿の枚数として１枚が設定される。
【００６８】
原稿サイズボタン７３は、原稿のサイズを設定するための入力画面に対応しており、選択決定キー８１及び原稿サイズボタン７３が順次押されると、該入力画面が液晶表示パネル４１に表示される。また、Ａ４が既定サイズとなっており、デフォルト決定キー８２及び原稿サイズボタン７３が順次押された場合は、該入力画面が表示されないまま、原稿のサイズとしてＡ４が設定される。
【００６９】
印字用紙ボタン７４は、印字用紙のサイズを設定するための入力画面に対応しており、選択決定キー８１及び印字用紙ボタン７４が順次押されると、該入力画面が液晶表示パネル４１に表示される。また、Ａ４が既定サイズとなっており、デフォルト決定キー８２及び印字用紙ボタン７４が順次押された場合は、該入力画面が表示されないまま、印字用紙のサイズとしてＡ４が設定される。図１１は、印字用紙のサイズを入力操作により設定するための入力画面８４を示している。
【００７０】
倍率ボタン７５は、原稿の画像の印字倍率を設定するための入力画面に対応しており、選択決定キー８１及び倍率ボタン７５が順次押されると、該入力画面が液晶表示パネル４１に表示される。また、１００％（１倍）が既定印字倍率となっており、デフォルト決定キー８２及び倍率ボタン７５が順次押された場合は、該入力画面が表示されないまま、印字倍率として１００％が設定される。図１２は、印字倍率を入力操作により設定するための入力画面８５を示している。
【００７１】
印字濃度ボタン７６は、印字濃度を設定するための入力画面に対応しており、選択決定キー８１及び印字濃度ボタン７６が順次押されると、該入力画面が液晶表示パネル４１に表示される。また、既定の印字濃度が設定されており、デフォルト決定キー８２及び印字濃度ボタン７６が順次押された場合は、該入力画面が表示されないまま、既定の印字濃度が設定される。
【００７２】
印字部数ボタン７７は、印字部数を設定するための入力画面に対応しており、選択決定キー８１及び印字部数ボタン７７が順次押されると、該入力画面が液晶表示パネル４１に表示される。また、１部が既定の部数となっており、デフォルト決定キー８２及び印字部数ボタン７７が順次押された場合は、該入力画面が表示されないまま、印字部数として１部が設定される。
【００７３】
後処理ボタン選択７８は、印字用紙の後処理を設定するための入力画面に対応しており、選択決定キー８１及び後処理ボタン選択７８が順次押されると、該入力画面が液晶表示パネル４１に表示される。また、後処理をしないことが既定の事項となっており、デフォルト決定キー８２及び後処理ボタン選択７８が順次押された場合は、該入力画面が表示されないまま、後処理をしないことが設定される。図１３は、印字用紙の後処理を入力操作により設定するための入力画面８６を示している。
【００７４】
排紙位置ボタン７９は、印字用紙を排出する位置として、排紙部７の各排紙トレイ３８のいずれかを設定するための入力画面に対応しており、選択決定キー８１及び排紙位置ボタン７９が順次押されると、該入力画面が液晶表示パネル４１に表示される。また、最上段の排紙トレイ３８が既定位置となっており、デフォルト決定キー８２及び排紙位置ボタン７９が順次押された場合は、該入力画面が表示されないまま、印字用紙を排出する位置として最上段の排紙トレイ３８が設定される。
【００７５】
尚、各ボタン７１〜７９に対応するそれぞれの入力画面は、画像データとして表示記憶部５９に記憶されている。また、各ボタン７１〜７９に対応するそれぞれの既定内容も、表示記憶部５９に記憶されている。
【００７６】
さて、図６は、図５のステップＳ１００９の処理をより詳しく示すフローチャートである。
【００７７】
ここでは、まず図９（ａ）に示す複写モードの入力画面６７の各ボタン７１〜７９、選択決定キー８１、デフォルト決定キー８２、及び未設定数欄８３のいずれも未だに押されていないものとする。このとき、未設定数欄８３には、押されていない各ボタン７１〜７９の数９が表示される。
【００７８】
この状態で、利用者は、選択決定キー８１及びデフォルト決定キー８２のいずれかを押す（ステップＳ２００１）。そして、例えばデフォルト決定キー８２を押したならば（ステップＳ２００１で「Ｙｅｓ」）、引き続いて各ボタン７１〜７９のうちの少なくとも１つを押す（ステップＳ２００２）。例えば、図９（ｂ）に示す様にデフォルト決定キー８２を押し、これに引き続いて原稿載置位置ボタン７１及び後処理ボタン選択７８を押す（ステップＳ２００２）。判断部５８は、タッチパネル４２を通じて、デフォルト決定キー８２、原稿載置位置ボタン７１、及び後処理ボタン選択７８が順次押されたことを検出し、この旨をパネル制御部６０に通知する。これに応答してパネル制御部６０は、既定位置のプラテンガラス１２を表示記憶部５９から読み出して設定し、また既定の後処理をしないことを表示記憶部５９から読み出して設定する。
【００７９】
また、判断部５８は、各ボタン７１，７８が押されたことから、図９（ｃ）に示す様に未だに押されていない各ボタン７２〜７７，７９の数７を未設定数欄８３に表示して、未設定数欄８３の数を更新する。
【００８０】
このとき、図９（ｃ）に示す様に既に押された各ボタン７１，７８が白抜きで表示され、かつ未だに押されていない各ボタン７２〜７７，７９の数７が未設定数欄８３に表示されるため、液晶表示パネル４１の画面を見れば、未だに設定されていない印字条件の数と種類を知ることができる。
【００８１】
この後、既定内容を設定し得る他の各ボタン７２〜７７，７９が残っていることから（ステップＳ２００３で「Ｎｏ」）、ステップＳ２００１に戻る。また、未設定数欄８３の数７が０でないことからも（ステップＳ２００４で「Ｎｏ」）、ステップＳ２００１に戻る。
【００８２】
尚、デフォルト決定キー８２に引き続いて押される各ボタン７１〜７９の数を増減しても良く、各ボタン７１〜７９の全てを押下しても構わない。いずれにしても、デフォルト決定キー８２及びボタンが押された後で、未だに押されていないボタンが白抜きで表示され、未だに押されていないボタンの数が未設定数欄８３に表示されるため、未だに設定されていない印字条件の数と種類を知ることができる。
【００８３】
次に、利用者は、例えば図９（ｄ）に示す様に選択決定キー８１を押し（ステップＳ２００１で「Ｎｏ」）、引き続いて倍率ボタン７５を押す（ステップＳ２００５）。判断部５８は、タッチパネル４２を通じて、選択決定キー８１及び倍率ボタン７５が順次押されたことを検出し、図１２の入力画面８５を示す画像データを表示記憶部５９から読み出して、この入力画面８５を液晶表示パネル４１に表示する。
【００８４】
図１２から明らかな様に入力画面８５には、印字倍率を表示する印字倍率欄９１、任意の印字倍率を指示するための増大ボタン９２と減少ボタン９３、既定の各印字倍率を指示するための各印字倍率ボタン９４、及びＯＫボタン９５等が表示されている。
【００８５】
この状態で、利用者は、例えば増大ボタン９２又は減少ボタン９３を選択的に押す。判断部５８は、タッチパネル４２を通じて、増大ボタン９２又は減少ボタン９３が押されたことを検出すると、入力画面８５の印字倍率欄９１の印字倍率を増減させて変更する。あるいは、各印字倍率ボタン９４のいずれかを押すと、判断部５８は、タッチパネル４２を通じて、押された印字倍率ボタン９４を検出し、押された印字倍率ボタン９４の印字倍率を入力画面８５の印字倍率欄９１に表示する。こうして利用者は、所望の印字倍率を入力画面８５の印字倍率欄９１に表示させたならば、ＯＫボタン９５を押す。これに応答して判断部５８は、印字倍率欄９１の印字倍率をパネル制御部６０に通知する。パネル制御部６０は、この印字倍率を設定する（ステップＳ２００６）。
【００８６】
また、判断部５８は、倍率ボタン７５が押されたことから、図９（ｅ）に示す様に未だに押されていない各ボタン７２〜７４，７６，７７，７９の数６を未設定数欄８３に表示して、未設定数欄８３の数を更新する。
【００８７】
このとき、図９（ｅ）に示す様に既に押された各ボタン７１，７５，７８が白抜きで表示され、かつ未だに押されていない各ボタン７２〜７４，７６，７７，７９の数６が未設定数欄８３に表示されるため、液晶表示パネル４１の画面を見れば、未だに設定されていない印字条件の数と種類を知ることができる。
【００８８】
この後、未設定数欄８３に表示されている数６が０でないことから（ステップＳ２００７で「Ｎｏ」）、ステップＳ２００１に戻って、複写モードの入力画面６７が表示される。
【００８９】
次に、利用者は、例えば選択決定キー８１を押し（ステップＳ２００１で「Ｎｏ」）、引き続いて印字用紙ボタン７４を押す（ステップＳ２００５）。判断部５８は、タッチパネル４２を通じて、選択決定キー８１及び印字用紙ボタン７４が順次押されたことを検出すると、図１１の入力画面８４を示す画像データを表示記憶部５９から読み出して、この入力画面８４を液晶表示パネル４１に表示する。
【００９０】
図１１に示す様に入力画面８４には、それぞれのサイズの印字用紙を指示するための各サイズボタン１０１及びＯＫボタン１０２等が表示されている。
【００９１】
この状態で、利用者は、例えば各サイズボタン１０１のいずれかを押し、引き続いてＯＫボタン１０２を押す。判断部５８は、押されたサイズボタン１０１を検出すると、押されたサイズボタン１０１の表示濃度を変更し、引き続いて押されたＯＫボタン１０２を検出すると、押されたサイズボタン１０１の印字用紙のサイズをパネル制御部６０に通知する。パネル制御部６０は、この印字用紙のサイズを設定する（ステップＳ２００６）。
【００９２】
また、判断部５８は、印字用紙ボタン７４が押されたことから、未だに押されていない各ボタン７２〜７３，７６，７７，７９の数５を未設定数欄８３に表示して、未設定数欄８３の数を更新する。
【００９３】
このとき、既に押された各ボタン７１，７４，７５，７８が白抜きで表示され、かつ未だに押されていない各ボタン７２〜７３，７６，７７，７９の数５が未設定数欄８３に表示される。
【００９４】
この後、未設定数欄８３に表示されている数５が０でなくいことから（ステップＳ２００７で「Ｎｏ」）、ステップＳ２００１に戻って、複写モードの入力画面６７が表示される。
【００９５】
以降同様に、ステップＳ２００１からの処理が繰り返され、複写モードの入力画面６７上で、デフォルト決定キー８２及び少なくとも１つのボタンが順次押されると、ボタンの印字条件を示す既定内容が表示記憶部５９から読み出されて設定される。また、選択決定キー８１及びボタンが順次押されると、ボタンの印字条件を設定するための入力画面が表示記憶部５９から読み出されて表示され、入力画面上で入力された印字条件の任意内容が設定される。そして、既に押されたボタンが白抜きで表示され、かつ未だに押されていないボタンの数が未設定数欄８３に表示される。このため、液晶表示パネル４１の画面を見れば、未だに設定されていない印字条件の数と種類を知ることができる。
【００９６】
尚、ボタンの印字条件を設定した後で、このボタンを選択決定キー８１又はデフォルト決定キー８２に引き続いて再度押して、このボタンの印字条件を再設定することも可能である。この場合も、ステップＳ２００１からの処理が行なわれ、ボタンの印字条件が既定内容に設定されたり、ボタンの入力画面上で印刷条件の任意内容が設定されたりする。また、既に押されたボタンが白抜きで表示され、かつ未だに押されていないボタンの数が未設定数欄８３に表示される。
【００９７】
こうして原稿載置位置ボタン７１、原稿枚数ボタン７２、原稿サイズボタン７３、印字用紙ボタン７４、倍率ボタン７５、印字濃度ボタン７６、印字部数ボタン７７、後処理ボタン選択７８、及び排紙位置ボタン７９の全てが押されて、各ボタン７１〜７９の印字条件の全てが設定されると、複写モードの入力画面６７上で、各ボタン７１〜７９の全てが白抜きで表示され、かつ０が未設定数欄８３に表示される（ステップＳ２００４又はＳ２００７で「Ｙｅｓ」）。また、各印字条件の全てがパネル制御部６０から主制御部５３に通知される。主制御部５３は、各印字条件に基づいて、原稿搬送部２、読み取り部３、印字部４、印字用紙搬送部５、給紙部６、排紙部７、及び画像処理部５１等の動作内容を設定する。
【００９８】
このとき、利用者は、各ボタン７１〜７９の全てが白抜きで表示され、かつ０が未設定数欄８３に表示されていることから、各印字条件の全ての設定が完了したことを知ることができる。そこで、利用者は、複写を開始するために操作パネル１４のスタートキー４６を押す（ステップＳ２００８）。パネル制御部６０は、判断部５８を通じて、スタートキー４６が押されたことを検出し、この旨を主制御部５３に通知する。これに応答して主制御部５３は、各部２〜７，５１を制御して、原稿の画像の読み取り及び印字を行なう（ステップＳ２００９）。そして、原稿の画像の読み取り及び印字が完了したことを確認してから（ステップＳ２０１０で「Ｙｅｓ」）、ステップＳ１００５に戻って、待機状態となる。
【００９９】
尚、ステップＳ２００８を省略しても構わない。この場合は、各ボタン７１〜７９の全てが白抜きで表示され、かつ０が未設定数欄８３に表示されると、ステップＳ２００９に直ちに移って、原稿の画像の読み取り及び印字が自動的に開始される。
【０１００】
次に、図５のステップＳ１０１２を更に詳しく説明する。
【０１０１】
先に述べた様にファクシミリモードボタン６４及び決定キー６６が順次押され、図１０に示す様なファクシミリモードの入力画面６８が液晶表示パネル４１に表示されているものとする。ファクシミリモードの入力画面６８には、モード選択画面６１と同様に、画像形成装置像６２、複写モードボタン６３、ファクシミリモードボタン６４、プリンタモードボタン６５、及び決定キー６６が表示され、更に宛先番号ボタン１１１、画質濃度ボタン１１２、解像度ボタン１１３、転送速度ボタン１１４、同報通信ボタン１１５、リスト一覧ボタン１１６、ポーリングボタン１１７、選択決定キー８１、デフォルト決定キー８２、及び未設定数欄８３が表示されている。
【０１０２】
各ボタン１１１〜１１７は、ファクシミリの各送信条件及び各受信条件をそれぞれ設定するためのものである。また、各ボタン１１１〜１１７に対応するそれぞれの入力画面は、画像データとして表示記憶部５９に記憶されている。更に、各ボタン１１１〜１１７に対応するそれぞれの既定内容も、表示記憶部５９に記憶されている。
【０１０３】
図７は、図５のステップＳ１００９の処理をより詳しく示すフローチャートである。
【０１０４】
ここでは、まず図１０に示すファクシミリモードの入力画面６８の各ボタン１１１〜１１７、選択決定キー８１、デフォルト決定キー８２、及び未設定数欄８３のいずれも未だに押されていないものとする。このとき、未設定数欄８３には、押されていない各ボタン１１１〜１１７の数７が表示される。
【０１０５】
この状態で、例えばデフォルト決定キー８２を押し（ステップＳ３００１で「Ｙｅｓ」）、引き続いて各ボタン１１１〜１１７のうちの少なくとも１つを押す（ステップＳ３００２）。判断部５８は、タッチパネル４２を通じて、デフォルト決定キー８２が押され、引き続いて少なくとも１つのボタンが押されたことを検出し、この旨をパネル制御部６０に通知する。これに応答してパネル制御部６０は、押されたボタンの送信条件又は受信条件の既定内容を表示記憶部５９から読み出して設定する。
【０１０６】
このとき、既に押された少なくとも１つのボタンが白抜き表示され、かつ未だに押されていないボタンの数が未設定数欄８３に表示されて、未設定数欄８３の数が更新される。
【０１０７】
この後、既定内容を設定し得る他のボタンが残っていれば（ステップＳ３００３で「Ｎｏ」）、ステップＳ３００１に戻る。また、未設定数欄８３に表示されている数が０でない場合も（ステップＳ３００４で「Ｎｏ」）、ステップＳ３００１に戻る。
【０１０８】
尚、デフォルト決定キー８２に引き続いて押される各ボタン１１１〜１１７の数を増大しても良く、各ボタン１１１〜１１７の全てを押下しても構わない。
【０１０９】
また、選択決定キー８１を押し（ステップＳ３００１で「Ｎｏ」）、引き続いて各ボタン１１１〜１１７のいずれかを押すと（ステップＳ３００５）、判断部５８は、タッチパネル４２を通じて、選択決定キー８１及び各ボタン１１１〜１１７のいずれかが順次押されたことを検出し、押されたボタンの入力画面を示す画像データを表示記憶部５９から読み出して、この入力画面を液晶表示パネル４１に表示する。そして、この入力画面の各ボタンやキー等を選択的に押して、送信条件又は受信条件の任意内容を指示する。判断部５８は、タッチパネル４２を通じて、入力画面上で押されたボタンやキー等を検出して、送信条件又は受信条件の任意内容を判定し、送信条件又は受信条件の任意内容をパネル制御部６０に通知する。パネル制御部６０は、送信条件又は受信条件の任意内容を設定する（ステップＳ３００６）。
【０１１０】
このとき、既に押されたボタンが白抜き表示され、かつ未だに押されていないボタンの数が未設定数欄８３に表示されて、未設定数欄８３の数が更新される。
【０１１１】
この後、未設定数欄８３に表示されている数が０でなければ（ステップＳ３００７で「Ｎｏ」）、ステップＳ３００１に戻って、ファクシミリモードの入力画面６８が表示される。
【０１１２】
以降同様に、ステップＳ３００１からの処理が繰り返され、ファクシミリモードの入力画面６８上で、デフォルト決定キー８２及び少なくとも１つのボタンが順次押されると、ボタンの送信条件又は受信条件を示す既定内容が表示記憶部５９から読み出されて設定される。また、選択決定キー８１及びボタンが順次押されると、ボタンの送信条件又は受信条件を設定するための入力画面が表示記憶部５９から読み出されて表示され、入力画面上で入力された送信条件又は受信条件の任意内容が設定される。そして、既に押されたボタンが白抜きで表示され、かつ未だに押されていないボタンの数が未設定数欄８３に表示される。このため、液晶表示パネル４１の画面を見れば、未だに設定されていない送信条件又は受信条件の数と種類を知ることができる。
【０１１３】
尚、ボタンの送信条件又は受信条件を設定した後で、このボタンを選択決定キー８１又はデフォルト決定キー８２に引き続いて再度押して、このボタンの送信条件又は受信条件を再設定することも可能である。この場合も、ステップＳ３００１からの処理を行ない、ボタンの送信条件又は受信条件を既定内容に設定したり、ボタンの送信条件又は受信条件を設定するための入力画面上で任意内容を設定したりする。
【０１１４】
こうして各ボタン１１１〜１１７の全てが押されて、各ボタン１１１〜１１７の送信条件又は受信条件の全てが設定されると、ファクシミリモードの入力画面６８上で、各ボタン７１〜７９の全てが白抜きで表示され、かつ０が未設定数欄８３に表示される（ステップＳ３００４又はＳ３００７で「Ｙｅｓ」）。また、これらの条件がパネル制御部６０から主制御部５３に通知される。主制御部５３は、各条件に基づいて、原稿搬送部２、読み取り部３、印字部４、印字用紙搬送部５、給紙部６、排紙部７、画像処理部５１、及びファクシミリ通信部５５の動作内容を設定し、該各部２〜７，５１，５５を制御して、原稿の画像の読み取り及び該画像を示す画像データの送信、又は画像データの受信及び該画像データによって示される画像の印字を行なう（ステップＳ３００８）。そして、ファクシミリ通信が完了したことを確認してから（ステップＳ３００９で「Ｙｅｓ」）、ステップＳ１００５に戻って、待機状態となる。
【０１１５】
尚、各ボタン１１１〜１１７の全てが押されて、各ボタン１１１〜１１７の条件の全てが設定された後に、操作パネル１４のスタートキー４６が押されるのを待機し、スタートキー４６が押されてから、ステップＳ３００８に移っても構わない。
【０１１６】
この様に本実施形態では、複写モード及びファクシミリモードに際し、各条件を設定するためのそれぞれのボタンを液晶表示パネル４１の画面に表示し、既に押されたボタンを白抜きで表示し、かつ未だに押されていないボタンの数を表示しているので、画面を見れば、未だに設定されていない条件の数と種類を知ることができ、入力操作を何時まで続ければ良いのかが分かる。
【０１１７】
尚、本発明は、上記実施形態に限定されるものではなく、多様に変形することができる。例えば、既に押されたボタンを白抜きで表示し、かつ未だに押されていないボタンの数を表示する代わりに、未設定の条件の数をグラフ表示したり、設定済みの条件の数と未設定の条件の数との比をグラフ表示したりしても良い。あるいは、未設定の条件の数をアニメーションの動きにより表現することも可能である。
【０１１８】
また、本発明は、画像形成装置だけではなく、他の種類の電子機器にも適用し得る。例えば、電子レンジでは、多様な機能を備えることから、各機能別に、それぞれの条件を設定する必要があり、各条件に対応するそれぞれの入力画面を階層化して順次表示しつつ、各条件を操作入力することがある。このため、電子レンジにおいても、未設定の条件がどの程度残っているかを表示装置の画面に表示することが有用である。
【０１１９】
また、タッチパネル４２を用いて、条件を操作入力しているが、キーボードやマウス等を用いても構わない。
【０１２０】
【発明の効果】
以上説明した様に本発明によれば、処理に係わる各条件を表示しつつ、各条件を入力操作により設定する際に、未設定の条件がどの程度残っているかを示す報知情報を表示している。例えば、各条件に対応するそれぞれの入力画面を階層化して順次表示しつつ、各条件を入力操作により設定する際に、未設定の条件（未着手の入力画面）がどの程度残っているかを示す報知情報を表示する。これにより、入力操作を何時まで続ければ良いのかが分かる。
【図面の簡単な説明】
【図１】本発明の表示装置の一実施形態を適用した画像形成装置を示す側面図である。
【図２】図１の画像形成装置における操作パネルを示す平面図である。
【図３】図１の画像形成装置の構成を示すブロック図である。
【図４】図３の表示部の構成を示すブロック図である。
【図５】図１の画像形成装置による処理を概略的に示すフローチャートである。
【図６】図５のステップＳ１００９の処理をより詳しく示すフローチャートである。
【図７】図５のステップＳ１０１２の処理をより詳しく示すフローチャートである。
【図８】（ａ）、（ｂ）、及び（ｃ）は、図１の画像形成装置の液晶表示パネルに表示されるモード選択画面の遷移を示す図である。
【図９】（ａ）〜（ｅ）は、図１の画像形成装置の液晶表示パネルに表示される複写モードの入力画面の遷移を示す図である。
【図１０】図１の画像形成装置の液晶表示パネルに表示されたファクシミリモードの入力画面を示す図ある。
【図１１】印字用紙のサイズを設定するための入力画面を示している。
【図１２】印字倍率を設定するための入力画面を示している。
【図１３】印字用紙の後処理を設定するための入力画面を示している。
【符号の説明】
１    画像形成装置
２    原稿搬送部
３    読み取り部
４    印字部
５    印字用紙搬送部
６    給紙部
７    排紙部
１１    原稿セットトレイ
１２    プラテンガラス
１４    操作パネル
１５    第１走査ユニット
１６    第２走査ユニット
１７    結像レンズ
１８    光電変換素子（ＣＣＤ）
２１    感光体ドラム
２２    帯電器
２３    レーザスキャンユニット（ＬＳＵ）
２４    現像器
２５    転写器
２６    クリーニング器
２７    定着器
２８    ＰＳローラ対
２９    搬送ローラ対
３１    搬送経路
３２    反転搬送経路
３３    給紙カセット
３４    手差しトレイ
３５，３６    ピックアップローラ
３８    排紙トレイ
４１    操作パネル
４２    液晶表示パネル
５１    画像処理部
５２    主記憶部
５３    主制御部
５４    表示部
５５    ファクシミリ通信部
５７    入力部
５８    判断部
５９    表示記憶部
６０    パネル制御部
【図１】
2004312174.tif 000003
【図２】
2004312174.tif 000004
【図３】
2004312174.tif 000005
【図４】
2004312174.tif 000006
【図５】
2004312174.tif 000007
【図６】
2004312174.tif 000008
【図７】
2004312174.tif 000009
【図８】
2004312174.tif 000010
【図９】
2004312174.tif 000011
【図１０】
2004312174.tif 000012
【図１１】
2004312174.tif 000013
【図１２】
2004312174.tif 000014
【図１３】
2004312174.tif 000015